【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
シートを支持するシート支持部と、
前記シート支持部に支持されたシートを変形させて、針無しで綴じる綴じ部と、
前記綴じ部により綴じられたシート束が前記綴じ部から剥がれるようにシート束を回転させる回転部と、を備えた、
ことを特徴とするシート処理装置。
【請求項２】
前記回転部は、前記綴じ部がシート束を綴じる綴じ位置を中心として回転するように綴じられたシート束を移動させる、
ことを特徴とする請求項１に記載のシート処理装置。
【請求項３】
前記回転部は、綴じられたシート束の端に移動力を付与する、
ことを特徴とする請求項１または２に記載のシート処理装置。
【請求項４】
前記綴じ部は、シート束の角部を綴じ、
前記回転部は、綴じられたシート束の端を押してシート束を回転させる、
ことを特徴とする請求項１乃至３のいずれか１項に記載のシート処理装置。
【請求項５】
前記綴じ部は、シート束の第１端と前記第１端と直交する第２端とが交差する、シート束の角部を綴じ、
前記回転部は、綴じられたシートの前記第１端を押す、
ことを特徴とする請求項４に記載のシート処理装置。
【請求項６】
前記回転部が当接するシート束の第１端と交差する、シート束の第２端の位置を規制する規制部材を備え、
前記回転部によってシートの前記第１端に移動力を付与する前に、前記規制部材がシートの前記第２端から離れる、
ことを特徴とする請求項５に記載のシート処理装置。
【請求項７】
前記規制部材は、前記回転部により回転されるシート束の回転を前記第２端と接することで規制する、
ことを特徴とする請求項６に記載のシート処理装置。
【請求項８】
シートを支持するシート支持部と、
前記シート支持部に支持されたシートを変形させて、針無しで綴じる綴じ部と、
前記綴じ部により綴じられたシート束の端と接しながら移動方向に動く移動部と、を備え、
前記移動方向と直交する方向において、前記移動部と前記綴じ部がシート束を綴じる綴じ位置とがズレていることを特徴とするシート処理装置。
【請求項９】
前記綴じ部はシートの角部を綴じる、
ことを特徴とする請求項８に記載のシート処理装置。
【請求項１０】
前記綴じ部は、シート束の第１端と前記第１端と直交する第２端とが交差する、シート束の角部を綴じ、
前記移動部は、シート束の前記第１端に接して綴じられたシート束を押す、
ことを特徴とする請求項９に記載のシート処理装置。
【請求項１１】
前記移動部が当接するシート束の第１端と交差する、シート束の第２端を規制する規制部材を備え、 
前記移動部がシート束の第１端を移動させる前に、前記規制部材がシート束の前記第２端から離れる、
ことを特徴とする請求項１０に記載のシート処理装置。
【請求項１２】
前記規制部材は、前記移動部の移動により前記綴じ位置を中心として回転されるシート束の回転を前記第２端と接することで規制する、
ことを特徴とする請求項１１に記載のシート処理装置。
【請求項１３】
前記シート支持部におけるシートを支持する支持面は傾斜しており、
前記移動方向における上流端である前記移動部が接するシートの端は、傾斜した前記支持面に支持されているシート束の下端である、
ことを特徴とする請求項８乃至１２のいずれか１項に記載のシート処理装置。
【請求項１４】
前記綴じ部は、一対の歯部材を備え、
前記綴じ部は、前記一対の歯部材によってシートを加圧することでシート束を綴じる、
ことを特徴とする請求項１乃至１３のいずれか１項に記載のシート処理装置。
【請求項１５】
複数のシートのそれぞれが繊維性シートであり、
前記綴じ部は、綴じ位置にてこれら複数のシートを挟んで加圧し、前記複数のシートのそれぞれの繊維を絡ませて綴じる、
ことを特徴とする請求項１乃至１４のいずれか１項に記載のシート処理装置。
【請求項１６】
前記綴じ部は、複数のシートを半抜きすることで、複数のシートを綴じる、
ことを特徴とする請求項１乃至１３のいずれか１項に記載のシート処理装置。
【請求項１７】
シートを支持するシート支持部と、
前記シート支持部に支持されたシートを変形させて、針無しで綴じる綴じ部と、
前記シート支持部に支持されたシートの、搬送方向に直交する幅方向における第１端に接する第１整合部材と、
前記シート支持部に支持されたシートの、前記幅方向における前記第１端と反対の第２端に接する第２整合部材と、を備え、
前記綴じ部によって綴じられたシート束の第２端に接している前記第２整合部材を、前記綴じ部がシート束を綴じた後に、前記第２端から離れるように前記幅方向に移動させ、
前記綴じ部によって綴じられたシート束の第１端に接している前記第１整合部材を、前記第２整合部材へ向かうように移動させる、
ことを特徴とするシート処理装置。
【請求項１８】
シートに画像を形成する画像形成部と、
前記画像形成部によって画像が形成されたシートを処理する請求項１乃至１７のいずれか１項に記載のシート処理装置と、を備えた、
ことを特徴とする画像形成装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
そこで、本発明は、上記課題に対応するシート処理装置及びこれを備える画像形成装置を提供することを目的とする。
【手続補正４】
【補正対象書類名】明細書
【補正対象項目名】０００８
【補正方法】変更
【補正の内容】
【０００８】
本発明に係るシート処理装置は、シートを支持するシート支持部と、前記シート支持部に支持されたシートを変形させて、針無しで綴じる綴じ部と、前記綴じ部により綴じられたシート束が前記綴じ部から剥がれるようにシート束を回転させる回転部と、を備えた、ことを特徴とする。
【手続補正５】
【補正対象書類名】明細書
【補正対象項目名】０００９
【補正方法】変更
【補正の内容】
【０００９】
また、本発明に係るシート処理装置は、シートを支持するシート支持部と、前記シート支持部に支持されたシートを変形させて、針無しで綴じる綴じ部と、前記綴じ部により綴じられたシート束の端と接しながら移動方向に動く移動部と、を備え、前記移動方向と直交する方向において、前記移動部と前記綴じ部がシート束を綴じる綴じ位置とがズレていることを特徴とする。
更に、本発明に係るシート処理装置は、シートを支持するシート支持部と、前記シート支持部に支持されたシートを変形させて、針無しで綴じる綴じ部と、前記シート支持部に支持されたシートの、搬送方向に直交する幅方向における第１端に接する第１整合部材と、前記シート支持部に支持されたシートの、前記幅方向における前記第１端と反対の第２端に接する第２整合部材と、を備え、前記綴じ部によって綴じられたシート束の第２端に接している前記第２整合部材を、前記綴じ部がシート束を綴じた後に、前記第２端から離れるように前記幅方向に移動させ、前記綴じ部によって綴じられたシート束の第１端に接している前記第１整合部材を、前記第２整合部材へ向かうように移動させる、ことを特徴とする。
【手続補正６】
【補正対象書類名】明細書
【補正対象項目名】００１０
【補正方法】変更
【補正の内容】
【００１０】
本発明によれば、綴じ部によって針無しで綴じられたシート束が綴じ部に食い付いてしまうことに起因した不具合を防ぐことができる。